(57)【要約】少なくとも１つの送信アンテナと、少なくとも１つの非結晶質コア送信アンテナを含み、通路の床上（床の埋込領域）又はフローリングの下に設置される電子式物品監視（ＥＡＳ）アンテナシステム。また、通路の全周に延伸するように設けた少なくとも１つの周囲ループアンテナを含むＥＡＳシステムを提供する。システムは、通路の床領域内に設置されうる少なくとも１つの床アンテナと、通路の天井に隣接して設置されうる少なくとも１つの天井アンテナをさらに含むことができる。
2008500650.tif 000002
【特許請求の範囲】
【請求項１】
通路の全周に渡って延伸するように設けた少なくとも１つの周囲ループアンテナであって、前記通路において尋問信号を発生させる送信アンテナとして構成された周囲ループアンテナを含んでなる電子式物品監視アンテナシステム。
【請求項２】
請求項１のシステムであって、前記通路は少なくとも２．０ｍの幅を持っているシステム。
【請求項３】
請求項１のシステムであって、前記通路の床領域に設置される少なくとも１つの床アンテナを含み、該少なくとも１つの床アンテナは前記通路に配設された電子式物品監視タグからの前記尋問信号に応答する応答信号を受信する受信機として構成されているシステム。
【請求項４】
請求項３のシステムであって、前記少なくとも１つの床アンテナはループアンテナであるシステム。
【請求項５】
請求項４のシステムであって、第１及び第２の前記床ループアンテナを含んでなるシステム。
【請求項６】
請求項５のシステムであって、前記第１及び第２の床ループアンテナは前記床の平面内で互いに隣接して配設されているシステム。
【請求項７】
請求項１のシステムであって、前記通路の天井に隣接して設置される少なくとも１つの天井アンテナを含むシステム。
【請求項８】
請求項７のシステムであって、前記少なくとも１つの天井アンテナはコアアンテナであるシステム。
【請求項９】
請求項８のシステムであって、前記少なくとも１つの天井アンテナはナノ結晶性材料を含むシステム。
【請求項１０】
請求項８のシステムであって、前記少なくとも１つの天井アンテナは非晶質材料を含むシステム。
【請求項１１】
請求項８のシステムであって、第１及び第２の前記天井コアアンテナを含んでなるシステム。
【請求項１２】
請求項１のシステムであって、前記通路の少なくとも一側に設置される少なくとも１つのコア受信アンテナをさらに含むシステム。
【請求項１３】
請求項１２のシステムであって、前記少なくとも１つのコア受信アンテナはナノ結晶性材料を含むシステム。
【請求項１４】
請求項１２のシステムであって、前記少なくとも１つのコア受信アンテナは非晶質材料を含むシステム。
【請求項１５】
請求項１のシステムであって、前記通路の少なくとも第１側部に隣接して設置される少なくとも１つの第１コア受信アンテナと、前記通路の第２側部に隣接して設置される少なくとも１つの第２コア受信アンテナをさらに含んでなるシステム。
【請求項１６】
通路の床領域内に設置される少なくとも１つの床ループアンテナと；
前記通路の天井に隣接して設置される少なくとも１つの天井コアアンテナと；
前記通路の全周に延伸する周囲ループアンテナと；
を含んでなる電子式物品監視アンテナシステムであって、前記天井コアアンテナと前記周囲アンテナの少なくとも一方が前記通路に尋問信号を発生させる送信アンテナとして構成され、かつ、前記少なくとも１つの床ループアンテナは、前記通路に配設された電子式物品監視タグからの前記尋問信号に応答する応答信号を受信する受信機として構成されている電子式物品監視アンテナシステム。
【請求項１７】
請求項１６のシステムであって、第１及び第２の前記床ループアンテナを含むシステム。
【請求項１８】
請求項１７のシステムであって、前記第１及び第２の床ループアンテナが前記床の平面内に互いに隣接して置かれるシステム。
【請求項１９】
請求項１６のシステムであって、第１及び第２の前記天井コアアンテナを含むシステム。
【請求項２０】
請求項１６のシステムであって、前記通路の幅は少なくとも２．０ｍであるシステム。
【請求項２１】
請求項１６のシステムであって、前記少なくとも１つの天井コアアンテナはナノ結晶性材料を含むシステム。
【請求項２２】
請求項１６のシステムであって、前記少なくとも１つの天井コアアンテナは非晶質材料を含むシステム。
【請求項２３】
請求項１６のシステムであって、前記通路の少なくとも一側に隣接して設置される少なくとも１つのコア受信アンテナをさらに含むシステム。
【請求項２４】
請求項２３のシステムであって、前記少なくとも１つのコア受信アンテナはナノ結晶性材料を含むシステム。
【請求項２５】
請求項２３のシステムであって、前記少なくとも１つのコア受信アンテナは非晶質材料を含むシステム。
【請求項２６】
請求項１６のシステムであって、前記通路の少なくとも第１側部に隣接して設置された少なくとも１つの第１コア受信アンテナと、前記通路の第２側部に隣接して設置された少なくとも１つの第２コア受信アンテナさらに含んでなるシステム。
【請求項２７】
通路にＥＡＳ又はＲＦＩＤ尋問ゾーンを確立する方法であって：
前記通路に尋問信号を発生させる送信アンテナとして構成した少なくとも１つの周囲ループアンテナを前記通路の全周に延伸させることを含む方法。
【請求項２８】
請求項２７の方法であって、前記通路の幅は少なくとも２．０ｍである方法。
【請求項２９】
請求項２７の方法であって、前記通路に配設された電子式物品監視タグからの前記尋問信号に応答する応答信号を受信する受信機として構成された少なくとも１つの床アンテナを前記通路の床の領域内に設置することをさらに含む方法。
【請求項３０】
請求項２９の方法であって、前記少なくとも１つの床アンテナはループアンテナである方法。
【請求項３１】
前記項２７の方法であって、前記通路の天井に隣接して少なくとも１つの天井アンテナを設置することをさらに含む方法。
【請求項３２】
請求項３１の方法であって、前記少なくとも１つの天井アンテナはコアアンテナである方法。
【請求項３３】
請求項３２の方法であって、前記少なくとも１つの天井アンテナはナノ結晶性材料を含む方法。
【請求項３４】
請求項３２の方法であって、前記少なくとも１つの天井アンテナは非晶質材料を含む方法。
【請求項３５】
請求項２７のであって、前記通路の少なくとも一側に隣接して設置された少なくとも１つのコア受信アンテナをさらに含む方法。
【請求項３６】
請求項３５の方法は、少なくとも１つの前記コア受信アンテナはナノ結晶性材料を含む方法。
【請求項３７】
請求項３５の方法であって、前記少なくとも１つのコア受信アンテナは非晶質材料を含む方法。
【請求項３８】
請求項２７の方法であって、前記通路の少なくとも第１側部に隣接して設置された少なくとも１つの第１コア受信アンテナと、前記通路の第２側部に隣接して設置された少なくとも１つの第２コア受信アンテナをさらに含んでなる方法。
【請求項３９】
尋問信号を発生させる送信機に接続可能で前記尋問信号を通路に伝播させる少なくとも１つの送信アンテナと；
前記通路の床領域内に設置される少なくとも１つの非結晶質コア受信アンテナであって、前記通路に配置された電子式物品監視タグからの前記尋問信号に応答する応答信号を受け取る受信アンテナと；
を含んでなる電子式物品監視アンテナシステム。
【請求項４０】
請求項３９のシステムであって、複数の前記非結晶質コア受信アンテナを含むシステム。
【請求項４１】
請求項４０のシステムであって、第１と第２の前記非結晶質コア受信アンテナは互いに直角に配設されるシステム。
【請求項４２】
請求項３９のシステムあって、前記少なくとも１つの送信アンテナはループアンテナであるシステム。
【請求項４３】
請求項３９のシステムあって、前記少なくとも１つの送信アンテナは磁気コアアンテナであるシステム。
【請求項４４】
請求項３９のシステムであって、前記少なくとも１つの非結晶質コア受信アンテナはナノ結晶性材料を含むシステム。
【発明の詳細な説明】
【発明の分野】
【０００１】
本発明は電子式物品監視（ＥＡＳ）システムに関し、より詳しく言えば、幅広の出口と幅広の入口を有する環境に適合するＥＡＳアンテナシステムに関する。
【０００２】
関連出願への相互参照
この出願は、２００３年１月１４日に出願した（係属中の）米国特許出願第１０／３４１，８２４の一部継続出願であると共に、２００３年１２月２２日に出願した（係属中の）米国特許出願第１０／７４５，１２８の一部継続出願であり、２００３年６月１６日に出願された米国特許仮出願第６０／４７８，９４４の利益を請求するものであり、それらの出願の開示は参照のためにここに取り入れられる。
【発明の背景】
【０００３】
電子式物品監視（ＥＡＳ）システムは与えられた検出領域の中でマーカーかタグの識別を行う検知システムである。ＥＡＳシステムは多くの用途を有するが、店舗での万引き又はオフィスビルにおける資産（財産物）の取り外しを防ぐための防護システムとして使用される。ＥＡＳシステムは現在多くの異なった形態で使用されており、多くの異なった技術を利用している。
【０００４】
典型的なＥＡＳシステムは電子式検出装置、マーカー及び／又はタグと、取外し装置又は不活性化装置を含む。検出装置を例えば床の下に埋め込み、壁に取り付け、又は天井から吊した足操作式の形態とすることができる。検出装置は通常、店舗かオフィスビルの入口や出口などの高い通行領域に置かれる。マーカー及び／又はタグは特別な特性を有し、保護されるべき商品他の物品に取り付けられ、または埋め込まれるように特別に設計されている。アクティブなマーカーがマーカー検出領域を通り抜けるとき、ＥＡＳシステムは警告音を発し、電灯が灯され、及び／又は他の適当な警告装置が作動して前記領域からマーカーが取り外されたことを示す。一般的なＥＡＳシステムは、それぞれが送信と受信を行う複数のトランシーバー又は分離した送信機と受信機を用いて、上の同じ一般原理により作動する。通常、送信機は検出領域の一側に置かれ、受信機は検出領域の反対側に置かれる。送信機はマーカー検出領域に所定の励磁信号を作り出す。小売店舗の場合では、通常、この検出領域はチェックアウト通路か出口に形成される。ＥＡＳマーカーが検出領域に入るとき、該マーカーは励磁信号に対する独特の反応を持っており、その反応は検出されうる。例えば、マーカーは、単純な半導体結合、誘導器とキャパシタで構成された同調回路、柔らかい磁気ストリップ若しくはワイヤ、又は振動共鳴器を使用することによって、送信機が送った信号に応答することができる。次に、受信機はこの独特の反応を検出する。マーカーの独特の反応は、故意に、特有であって自然環境では創成されない。
【０００５】
ＥＡＳシステムは、ショッピングセンターの広い入口のように、しばしば広大な検出領域をカバーすることが要求される。ショッピンセンターの入口は時にはショッピングセンター自体の幅である。そのような比較的広大な検出領域に対して特別な設計を考慮する必要を有する。例えば、そういったカバーに使用されるＥＡＳシステムは、マーカーが検出されずに通り抜けることが生じるような如何なるギャップ区域を生じさせないように、かつ、同時に検出区域の近くに置かれる商品に取り付けられたマーカーによって生じうる誤警報を避けるように入念に設計されなければならない。
【０００６】
通常ループアンテナで形成される従来のＥＡＳアンテナシステムがおよそ２．０メーターより広い開口に使用されるとき、検出性能は悪化し始める。ショッピングセンターの広い入口は最大でおよそ６メーター幅の検出領域を必要とすることができる。ここに使用される広い出口と広い入口はおよそ２．０メーター以上の幅を有する出口／入口のことをいう。広い入口に対する解決策は、床及び／又は天井に追加アンテナを加えることを含む。既存のフローリングにループアンテナを加えることは多くの問題が引き起こす。なぜならば、ループアンテナを設置するために床を剥がす必要を有するからである。
【発明の開示】
【０００７】
発明の１つの側面によると、少なくとも１つの送信アンテナと、少なくとも１つの非結晶質コア受信アンテナを含んでなり、通路の床（床のグラウト領域）又はフローリングの下に設置可能な電子式物品監視アンテナシステムが提供される。非結晶質コア受信アンテナの出力は、通路に配置された電子式物品監視タグからの応答信号の検出する受信機に接続可能である。応答信号は送信機によって確立された尋問信号に応答する。
【０００８】
発明のもう一つの側面によると、少なくとも１つの周囲ループアンテナを含んでなり通路の全周に延伸するように設けた電子式物品監視アンテナシステムが提供される。周囲ループアンテナを通路において尋問信号を発生させるの送信機アンテナとして構成することができる。このシステムは、通路の床領域の中に設置できる少なくとも１つの床ループアンテナと、前記通路の天井に隣接して設置できる少なくとも１つの天井コアアンテナをさらに含むことができる。天井コアアンテナは、尋問信号を通路に伝播する送信機アンテナとして構成される。床ループアンテナは、通路に配置した電子式物品監視タグからの応答信号（これは尋問信号に応答するものである）を受信するように構成される。
【０００９】
発明のもう一つの側面によると、通路のＥＡＳかＲＦＩＤ尋問ゾーンを確立する方法であって：少なくとも１つの周囲ループアンテナを通路の全周に延伸させ、該周囲ループアンテナを通路において尋問信号を発生させる送信機アンテナとして構成することを含んでなる方法が提供される。
【００１０】
本発明と他の目的、特徴、および利点をより良く理解するために、添付図面に関連してなされる以下の詳細な説明を参照すべきである。なお、添付図面において、同様な部分には同様な番号を使用している。
【発明の好ましい実施形態の説明】
【００１１】
発明を簡潔かつ容易に説明するために、本発明の様々な例示的実施形態をここに説明する。しかしながら、当業者であれば、本発明の特徴と利点をさまざまな態様で実施できることが理解できる。したがって、説明する実施形態は説明のためのものであり、制限的なものではないことが理解される。
【００１２】
伝統的なループアンテナやフェライトコア受信アンテナと比べて、非結晶質コアのアンテナが意義のあるより優れた感度を持つことが発見された。実際、非結晶質コア受信アンテナはフェライトアンテナよりもコア材の単位体積あたり１０−２０ファクタ、より高い感度を持っている。この発見が米国特許出願Ｎｏ．１０／０３７，３３７（２００１年１２月２１日出願）のコアトランシーバーアンテナの発明を導いた。その開示は参照のためにここに取り入れられる。
【００１３】
また、非常に小さくて薄いコア受信アンテナがタイル張り床のグラウト領域に設置されること、または床のタイルの下に容易に取り付けられることが判明している。そのような受信アンテナのアレイを広範検知システムに受信アンテナレイとして使用することができる。小さな床付きコア受信アンテナに加えて、床付けが望まれないなら、入口ゾーンの天井及び／又は側壁上により大きいコア受信アンテナを使用できる。伝統的なループ送信アンテナでも、コア送信アンテナでも、そのような広範検知システムのために励起場源を含むことができる。
【００１４】
図１について言及して、図示の非晶質コア受信アンテナ２は従来のタイル張りの床のグラウト領域に収まる大きさに設けられている。コア受信アンテナ２は、ドイツ国ハーナウＤ−６４５０在Vacuumschmelze  ＧｍＢＨ社から入手可能なＶＣ６０２５Ｆなどの適当なアモルファス（非晶質）リボン４のおよそ３０層、あるいは、同様の磁気特性を持つ他の非晶質合金から成る。各アモルファスリボンは、約１ｃｍ幅Ｘ２０ｃｍ長さの寸法であって、薄い絶縁層でコーティングされている。各リボンのコーティングは、渦電流損失を防ぐために電気的にすべての層を隔離するために十分である。次に、薄い誘電性の層がコアの周りに置かれ、コアを囲む電気巻線６が置かれる。通常、電気巻線（一次巻線）６は容量性共鳴とされ、共鳴Ｒ、Ｌ、およびＣシリーズ回路を形成する。次に、電気絶縁された出力を可能にするために二次巻線８を一次巻線の上に置き、従来の電子式物品監視受信入力にケーブルで接続される。望ましくは、コアの中央７５％上に一次巻線６と二次巻線８を有するべきである。
【００１５】
図２について言及して、床付きコア受信アンテナ２の小さなアレイの配置を図２に示す。２個のコア受信アンテナ２は直角に配置された組１０を形成する。３つの直角に配置された組１０を示すが、入口／出口の幅に依存してより少ない数又はより多い数の組を設けることができる。受信コアアンテナ２のそれぞれの直角に配置された組１０は、電気的にまとめられて、１つのチャンネル入力を形成する。直角に配置された組１０は、平行な組よりも雑音余裕度を改良するために集合されている。雑音が主に一方向から来ているなら、直角に配置されたものを集合させることで改良されたＳＮ比をもたらすことができる。
【００１６】
図３に言及し、大きい非結晶質コア受信アンテナ１２は、上に説明した非結晶質コア受信アンテナ２と非常に似ている。アンテナ１２の典型的な全体サイズは、およそ７５ｃｍ長さ×幅２ｃｍ幅Ｘおよそ３０個のリボン厚である。いくつかの取付では、図２に示される床に設置された小さいコア受信アンテナ２を使用するのは可能でないかもしれない。かわりに、より大きいコア受信アンテナ１２のアレイを店舗の入口のゾーンの頭上若しくは天井の上方に、及び／又は側壁に置くことができる。
【００１７】
図４に言及し、ここに示す磁気コア送信アンテナ１４は、励起巻線を備える長いフェライト材料コアまたは磁性材料コアを含む。１つの実施形態では、各々が１インチ幅Ｘ０．５インチ高さＸ３インチ長さ（２．５４ｃｍ幅Ｘ１．２７ｃｍ高さＸ７．６２ｃｍ長さ）の複数のフェライトブロックを貼り付けて密接に連結されたチェーンを形成している。適当なフェライトブロックはフィリップス３Ｃ９０ソフトフェライトブロックである。プラスチック製その他同様のハウジング１５はフェライトコアを囲んで保護する。さらなる磁気コア構成は本願と同じ所有者の米国仮出願第６０／４７８，９４３に開示されており、その開示は参照のためにここに取り入れられる。直列又は並列に連結した巻線のアレイを使用して電子機器からフェライトコアへの電力移送を最大にし、故に、界分布を最大にする。
【００１８】
ここで述べる如何なるコアアンテナをまた、米国特許出願Ｎｏ．１０／７４５，１２８で説明されるようにナノ結晶性材料から作ることができる。該米国特許出願の開示は参照のためにここに組み入れられる。ナノ結晶性コアアンテナは適当な絶縁コーティングを用いて複数のナノ結晶性材料のリボンを積層したものを含むことができる。当業者によって認められるように、ナノ結晶性の材料は急速凝固技術により獲得された非晶質に始まる。成型の後、材料がいまだ非常に延性である間にＳｉＯ２などの適当なコーティングを材料に塗布する。このコーティングは、アニーリングの後に有効なままで残り、ラミネートコアの渦巻き電流を防ぐ。材料を必要な形に切断して、切断片をナノ結晶性状態を形成するために焼きなますことができる。結果として生じるナノ結晶性材料は、ＲＦレンジまでの優れた高周波挙動を示し、ナノメータ範囲の構成結晶粒度によって特徴付けられる。本願において使用する用語「ナノ結晶性材料」は４０ｎｍ以下の最大寸法を有する粒子を含む材料をいう。ある材料は、およそ１０ｎｍから４０ｎｍまでの範囲の最大寸法を有する。
【００１９】
ナノ結晶性コアのアンテナに使用することができる例示的なナノ結晶性材料は、FeCuNbSiB、FeZrNbCu、FeCoZrBCuなどの合金を含む。これらの合金は、それぞれ、ＦＩＮＥＭＥＴ、ＮＡＮＯＰＥＲＭ、ＨＩＴＰＥＲＭの名で市販されている。材料を焼なましの前にコーティングするのが望ましいので、その絶縁材はアニール条件に耐えることができるどんな適当な材料とすることができる。材料が焼きなまされた後にエポキシを用いてラミネーションスタックを接着することができる。これはまた、コアアセンブリに機械剛性を与えるので、機械的変形又は破断を防止する。代替的に、ナノ結晶性スタックを硬質プラスチックハウジング内に置くことができる。
【００２０】
図５に従来のループアンテナ１６のアレイを備える幅広の店舗舗入口を示す。２個のループアンテナ１６が頭上に位置し、各側壁に１つのループアンテナ１６が設置されているのが示される。小さいコア受信アンテナ２のアレイは床に取り付けられている。１４フィート（4.2672ｍ）幅Ｘ１０フィート（3.048ｍ）高の入口において図５に示す形態の従来の磁気機械式ＥＡＳシステムを使用した結果の総ピック（検出）率は９７％であった。
【００２１】
図６−８に１４フィート幅Ｘ１０フィート高さ（4.2672ｍＷｘ3.048ｍＨ）の出入口でのＥＡＳタグの横（lateral）、水平（horizontal）、垂直（vertical）の向きのそれぞれにおける上記性能試験の結果を示しており、図６−８の各図における複数のプロットの寸法はテストされた出入口領域の高さと幅寸法に相当する。ピック率はシステム性能を示すものであり、また、システムがアンテナ構成によって形成された店舗入口の監視ゾーン内のＥＡＳタグをどれくらいよく検出できるかを示すタグ検出確率である。それぞれの図の陰影をつけた（暗い）領域はＥＡＳタグの検出を示す。以下の例では、ピック率は、床の上０から約１５０センチメートルまでの領域で測定される。図９乃至１１に、上記性能試験に類似した１８フィート幅Ｘ１０フィート高（5.4864ｍＷｘ3.048ｍＨ）の出入口でのＥＡＳタグの横（lateral）、水平（horizontal）、垂直（vertical）の向きのそれぞれにおける結果、総合で９４％のピック率、を示す。
【００２２】
図１２に、フェライト送信アンテナ１４のアレイを備える幅広店舗入口を示す。２つフェライト送信アンテナ１４が天井に付けられ又は埋め込まれ、各側壁に１つの同アンテナが取り付けられている。小さいコア受信アンテナ２のアレイは床付けされている。図１２に特定のアンテナ構成を図示するが、コアアンテナをさまざまな構成のものとして提供することができ、例えば、米国仮出願第６０／４７８，９４２で開示された構成を含むことができる。その教えは参照のためにここに取り入れられる。従来の磁気機械式システムを１４フィート幅ｘ１０フィート高の入口において図１２に示す構成で使用したテストの結果の総ピック率は９４％であった。
【００２３】
図１３−１５に、１４フィート幅ｘ１０フィート高（4.2672ｍＷｘ3.048ｍＨ）の入口での図１２に示す構成の上記の性能試験の結果を横（lateral）、水平（horizontal）、垂直（vertical）の向きのそれぞれに関して示す。
【００２４】
図１６−１８に、１８フィート幅Ｘ１０フィート高（5.4864ｍＷｘ3.048ｍＨ）の出入口での上記性能試験と同様な結果（総ピック率８３％）を横（lateral）、水平（horizontal）、垂直（vertical）の向きのそれぞれに関して示す。
【００２５】
図１９Ａに、従来のループアンテナ１６のアレイと、大きい非結晶質コア受信アンテナ１２のアレイを有する幅広店舗入口を示す。コア受信アンテナ１２のアレイは天井付き又は天井埋込であり、かつ、各側壁に２つのコア受信アンテナ１２が取り付けられている。図１９Ｂにコア受信機１２のアレイを示しており、このアレイは、図示のように指向する４個のアンテナを２セット含んでいる。ループアンテナ１６は図を見やすくするために図１９Ｂには示されていない。１４フィート幅ｘ１０フィート高（4.2672ｍＷｘ3.048ｍＨ）の寸法の入口に図１９Ａ、１９Ｂに示す構成の従来技術の磁気機械式ＥＡＳシステムを使用した試験結果は、受信アンテナを床上８．５フィート（2.59m）の高さに取り付けた状態で、最大で９１％のピック率であった。
【００２６】
図２０−２２に、１４フィート幅ｘ１０フィート高（4.2672ｍＷｘ3.048ｍＨ）の寸法の入口に図１９Ａ、１９Ｂに示す構成の場合の上記性能試験の結果を横（lateral）、水平（horizontal）、垂直（vertical）の向きのそれぞれに関して示す。床付の小さいコア受信アンテナ２をこの構成に加えるならば、ピック率は１００％まで増える。
【００２７】
追加の構成は、上に説明した例と比較して低いピック率性能となった。上の構成で示されたピック率は従来のＥＡＳシステムに勝るとも劣らなく、幅広の入口をカバーすることができる尋問ゾーンを形成し、かつ、従来のアンテナに必要である程度に床を剥がすことなく既存の小売店舗で設置可能である。
【００２８】
図２３に、発明に従うアンテナ構成の別の実施形態２３００を備える幅広店舗入口を示す。図示の例示的な実施形態２３００は天井２３０６に取り付けた第１磁気コア送信／受信アンテナ２３０２及び第２磁気コア送信／受信アンテナ２３０４と；出口領域２３１０の全周の設けられ、即ち、出口領域２３１０の上部、底部、及び側部を横切るように設けられた周囲ループアンテナと；床付き又は床埋込の第１及び第２受信ループアンテナ２３１２，２３１４を含む。
【００２９】
２個の磁気コアアンテナ２３０２，２３０４は送信機及び受信機（即ち、トランシーバー）として機能するように構成される。送信機として機能するとき、アンテナ２３０２、２３０４は、それらが発生させる磁場が互いに対向して出口領域２３１０の中央に磁場の何らかの垂直成分を確立すると共に、規制要件に従った距離において磁場キャンセルを与えるように構成される。受信機として機能するとき、アンテナ２３０２、２３０４は補助モードと対向モードに切り換わることができる。
【００３０】
また、全体出口領域２３１０を取り囲む周囲ループアンテナ２３０８もまたトランシーバーとして構成することができる。ループアンテナ２３０８は磁場の横方向Ｌ（出口平面に垂直な方向）を増大させる。アンテナ２３０８がトランシーバーとして機能するように構成するためには、送信機サイクルの間に十分なアンペアターンを与えてマーカー励起のための十分な磁場を渡して、受信機サイクルの間のマーカーを確かに検出するように、ループの巻数を選択するべきである。また、アンテナはマーカーを検出するように構成されるべきであるが、環境ノイズによる検出器に入力されるアンテナ入力の飽和の可能性を避けるように構成されるべきである。
【００３１】
受信ループアンテナ２３１２、２３１４をフローリングの下、フローリングの上、またはフロアタイルの間のグラウト領域に配置することができ、各アンテナを静電シールドによって囲むことができる。１つの実施形態では、各アンテナ２３１２、２３１４は１５巻数のワイヤを含むことができる。アンテナは対向若しくは補助するように接続され、又は検出器の独立した入力を駆動するために別々に使用される。
【００３２】
図示の例時事的実施形態は２個のコアのアンテナ２３０６、２３０８を含むが、例えば、出口の寸法その他の設計事項に依存して、１個の周囲ループアンテナ２３０８、２個のループアンテナ２３１２、２３１４、如何なる数のコアアンテナ及びループアンテナを利用することができる。例えば、実施形態２３００は、図示のように出口の一側又は両側に、１個以上のコア受信アンテナ１２も含むことができ、または代替的にそれを用いることができる。上で説明したどの構成においても受信アンテナ１２を備えることができる。また、天井アンテナをループアンテナとして構成することができ、かつ／又は、床アンテナを例えば先に述べたように非結晶質コアアンテナとして構成することができる。コアとループアンテナを対向又は補助構成として連結でき、異なった寸法のものとすることができる。さらに、複数のループアンテナを図示のように互いに隣接させて床平面内に配設することができ、または、部分的若しくは完全に重なる構成とすることができる。
【００３３】
図２４−２６は、１４幅ｘ１０フィート高(4.2672ｍＷｘ3.048ｍＨ)の出口において図２３に示す構成のシステムを用いた横、水平、垂直な向きのピック率性能試験のプロット２４００、２５００、２６００をそれぞれ示す。尋問ゾーンの高さは５フィート（１５２．４cm）に確立され、環境騒音は−７０ｍＶであった。図に示されるように、図２３の構成のピック率性能は、ここに説明される他の実施形態、および従来のＥＡＳシステムに勝るとも劣らない。
【００３４】
発明の範囲から逸脱しないで本発明の変形例を作ることが可能であることが理解される。また、発明の範囲はここに説明する特定の実施形態に制限されるものではなく、先の開示に照らして特許請求の範囲を読むことによって理解されるものである。
【図面の簡単な説明】
【００３５】
【図１】本発明に使用される（アモルファス）コア受信アンテナの上面斜視図である。
【図２】図１の受信アンテナのアレイの１実施形態を示す斜視図である。
【図３】本発明に使用される大きな非晶質コアのアンテナの上面斜視図である。
【図４】本発明に使用される大きなフェライトコアの送信アンテナの上面斜視図である。
【図５】本発明の１実施形態の略図である。
【図６】１４フィート（4.2672ｍ）幅、１０フィート（3.048ｍ）高の入口の図５の実施形態におけるＥＡＳタグのピック率（横方向）をプロットするプロット図である。
【図７】図６と同様な（水平方向）プロット図である。
【図８】図６と同様な（垂直方向）プロット図である。
【図９】１８フィート（5.4864）幅、１０フィート（3.048ｍ）高の入口の図５の実施形態におけるＥＡＳタグのピック率（横方向）をプロットするプロット図である。
【図１０】図９と同様な（水平方向）プロット図である。
【図１１】図９と同様な（垂直方向）プロット図である。
【図１２】本発明の第２の実施形態の略図である。
【図１３】１４フィート（4.2672ｍ）幅、１０フィート（3.048ｍ）高の入口の図１２の実施形態におけるＥＡＳタグのピック率（横方向）をプロットするプロット図である。
【図１４】図１３と同様な（水平方向）プロット図である。
【図１５】図１３と同様な（垂直方向）プロット図である。
【図１６】１８フィート（5.4864ｍ）幅、１０フィート（3.048ｍ）高の入口の図１２の実施形態におけるＥＡＳタグのピック率（横方向）をプロットするプロット図である。
【図１７】図１６と同様な（水平方向）プロット図である。
【図１８】図１６と同様な（垂直方向）プロット図である。
【図１９】図１９Ａは本発明の第３の実施形態の略図である。図１９Ｂは図１９Ａにおける１９Ｂ−１９Ｂ線断面図（部分断面図）である。
【図２０】１４フィート（4.2672ｍ）幅、１０フィート（3.048ｍ）高の入口の図１９の実施形態におけるＥＡＳタグのピック率（横方向）をプロットするプロット図である。
【図２１】図２０と同様な（水平方向）プロット図である。
【図２２】図２０と同様な（垂直方向）プロット図である。
【図２３】本発明の第４の実施形態の略図である。
【図２４】１４フィート（4.2672ｍ）幅、１０フィート（3.048ｍ）高の入口の図２３の実施形態におけるＥＡＳタグのピック率（横方向）をプロットするプロット図である。
【図２５】図２４と同様な（水平方向）プロット図である。
【図２６】図２４と同様な（垂直方向）プロット図である。
【図１】
2008500650.tif 000003
【図２】
2008500650.tif 000004
【図３】
2008500650.tif 000005
【図４】
2008500650.tif 000006
【図５】
2008500650.tif 000007
【図６】
2008500650.tif 000008
【図７】
2008500650.tif 000009
【図８】
2008500650.tif 000010
【図９】
2008500650.tif 000011
【図１０】
2008500650.tif 000012
【図１１】
2008500650.tif 000013
【図１２】
2008500650.tif 000014
【図１３】
2008500650.tif 000015
【図１４】
2008500650.tif 000016
【図１５】
2008500650.tif 000017
【図１６】
2008500650.tif 000018
【図１７】
2008500650.tif 000019
【図１８】
2008500650.tif 000020
【図１９Ａ】
2008500650.tif 000021
【図１９Ｂ】
2008500650.tif 000022
【図２０】
2008500650.tif 000023
【図２１】
2008500650.tif 000024
【図２２】
2008500650.tif 000025
【図２３】
2008500650.tif 000026
【図２４】
2008500650.tif 000027
【図２５】
2008500650.tif 000028
【図２６】
2008500650.tif 000029
【国際調査報告】
2008500650.tif 000030